(57)【特許請求の範囲】
【請求項１】
基盤の表面に金属層を設け、該金属層の表面に非金属製の表層を設け、該表層をレーザ加工により除去して上記金属層の表面を露出させた模様を形成した装飾製品において、
上記金属層を、金属製シートを上記基盤に対して貼着して設け、
上記金属製シートを、上記基盤に対して部分的に貼着し、
上記金属製シートとして、表面の色の異なる複数の金属製シートを設け、
上記表層にもレーザ加工により模様を形成したことを特徴とする装飾製品。
【請求項２】
上記表層を、主表層と該主表層の上に設けられる材質の異なる従表層とで構成し、該主表層及び従表層の少なくともいずれか一方にレーザ加工により模様を設けたことを特徴とする請求項１記載の装飾製品。
【請求項３】
上記表層において、掘削をドットで行なうとともに該ドットの疎密度及び深さの異なる掘削部が連続する模様を形成したことを特徴とする請求項１または２記載の装飾製品。
【請求項４】
上記金属製シートの非貼着部分において上記表層をレーザ加工により除去するとともに基盤もレーザ加工により掘削した模様を形成したことを特徴とする請求項１乃至３何れかに記載の装飾製品。
【発明の詳細な説明】
【０００１】
【発明の属する技術分野】
本発明は、基盤の表面に金属層を設け、金属層の表面に非金属製の表層を設け、表層をレーザ加工により除去して金属層の表面を露出させた模様を形成した装飾製品に関する。
【０００２】
【従来の技術】
従来、この種の装飾製品として、例えば、図８に示すようなものが知られている。この装飾製品は、以下のように作成される。先ず、合成樹脂材料からなる基盤１の表面１ａに金属層Ｋを設ける。金属層Ｋは、電気めっき，蒸着，スパッタリング，イオンプレーテイング等により形成する。次に、この金属層Ｋの表面Ｋａに非金属製の表層２を設ける。表層２は、例えば、塗料からなり、この塗料を金属層Ｋの表面Ｋａに塗布して硬化させ、着色塗膜層を形成して構成される。その後、表層２をレーザＲの加工により不要部分を除去して金属層Ｋの表面Ｋａを露出させ、基盤１に模様Ｍを形成するようにしている（例えば、特開平３−１４６１７４号公報掲載）。
【０００３】
【発明が解決しようとする課題】
ところで、この従来の装飾製品にあっては、金属層Ｋが、電気めっき，蒸着，スパッタリング，イオンプレーテイング等により形成されたもので構成されているので、金属層Ｋの形成が困難で極めて作業が煩雑であるとともに、種々の色を出して模様Ｍとすることが容易ではないという問題があった。
【０００４】
本発明は上記の問題点に鑑みてなされたもので、金属層の形成を容易にして装飾製品の製造効率を向上させるとともに、容易に金属層に種々の色を出して模様を形成することができるようにしてより多彩な模様を表出させ装飾性に富んだものとすることのできる装飾製品を提供することを目的とする。
【０００５】
【課題を解決するための手段】
このような課題を解決するための本発明の技術的手段は、基盤の表面に金属層を設け、該金属層の表面に非金属製の表層を設け、該表層をレーザ加工により除去して上記金属層の表面を露出させた模様を形成した装飾製品において、上記金属層を、金属製シートを上記基盤に対して貼着して設けた構成としている。
これにより、金属製シートを基盤に貼着するだけで金属層を形成することができるので、金属層の形成を容易にして装飾製品の製造効率を向上させることができる。また、種々の色を有した金属製シートを用いることにより、容易に金属層に種々の色を用いて装飾性に富んだ多彩な模様を形成することができる。
【０００６】
そして、必要に応じ、上記金属製シートを、上記基盤に対して部分的に貼着した構成としている。予め、模様の金属シートが露出される部分のみに金属シートを貼着するので無駄がない。
また、必要に応じ、表面の色の異なる複数の金属製シートを設けた構成としている。それぞれの露出される部分で異ならせた色の金属シートを用いて、複数の色彩を表出させることができる。
更に、必要に応じ、上記表層にもレーザ加工により模様を形成した構成としている。表層の模様と金属層の露出による模様が形成されるので、より一層、多彩な模様を表出させることができる。
【０００７】
そしてまた、必要に応じ、上記表層を、主表層と該主表層の上に設けられる材質の異なる従表層とで構成し、該主表層及び従表層の少なくともいずれか一方にレーザ加工により模様を設けた構成としている。主表層及び従表層からなる表層にレーザ加工により容易に凹凸のある立体的な模様を形成することができるとともに、従表層の下の主表層を露出させて効果的な模様とすることができ、装飾性に富んだものとすることができる。
【０００８】
更に、必要に応じ、上記表層において、掘削をドットで行なうとともに該ドットの疎密度及び深さの異なる掘削部が連続する模様を形成した構成としている。主表層及び従表層からなる表層でドットの疎密度及び深さを異ならせるので、従表層に主表層と色の異なるものを用いた場合に従表層を徐々に色の濃淡が変化するように表出させることができ、より一層、装飾性に富んだ多彩な模様を形成することができる。
そしてまた、必要に応じ、上記金属製シートの非貼着部分において上記表層をレーザ加工により除去するとともに基盤もレーザ加工により掘削した模様を形成した構成としている。レーザ加工により容易に基盤に模様を形成することができ、深い凹凸のある立体的な模様を形成することができる。
【０００９】
【発明の実施の形態】
以下、添付図面に基づいて本発明の実施の形態に係る装飾製品について説明する。尚、上記と同様のものは同一の符号を付している。
図１乃至図３に示すように、本発明の実施の形態に係る装飾製品は、木製の基盤１０の表面１０ａに金属層Ｋが設けられ、その金属層Ｋの表面Ｋａに非金属製の表層１１が設けられ、表層１１をレーザ加工により除去して金属層Ｋの表面Ｋａを露出させた模様を形成したものである。
【００１０】
詳しくは、金属層Ｋは、アルミ箔等の金属製シートＳを基盤１０に対して部分的に貼着して設けられている。金属製シートＳとしては、表面Ｋａの色の異なる複数（実施の形態では２つ）の金属製シート（Ｓ１，Ｓ２）が貼着されている。例えば、金属製シートＳ１は青色、金属製シートＳ２は緑色に形成されている。
表層１１は、主表層１１Ａと主表層１１Ａの上に設けられる材質の異なる従表層１１Ｂとで構成されている。主表層１１Ａは木製の板で構成され、従表層１１Ｂは、着色された樹脂シートで構成されている。実施の形態では、従表層１１Ｂは白色に形成されている。
【００１１】
そして、模様としては、先ず、表層１１をレーザ加工により除去して金属層Ｋの表面を露出させた模様（Ｍ１，Ｍ２）が形成されている。図１では、模様Ｍ１は山の上の雲の一部であり、金属製シートＳ１の青色が露出して構成されている。模様Ｍ２は樹木の葉部分であり、金属製シートＳ２の緑色が露出して構成されている。
この模様Ｍ１，Ｍ２の掘削は、ある一定の照射エネルギーのレーザ光が金属製シートＳ１，Ｓ２の部分で反射されてそれ以上深く入りにくくなるので、容易に行なわれる。
【００１２】
また、模様としては、表層１１にレーザ加工により形成された模様（ｍ1 ，ｍ2 ，ｍ3 ，ｍ4 ，ｍ5 ）が形成されている。図１では、模様ｍ1 は樹木の幹部分であり、主表層１１Ａの木質部が掘削されて露出して構成されている。模様ｍ2 は山の中央部分であり、主表層１１Ａの木質部が僅かに掘削されて露出して構成されている。
模様ｍ3 は雲の一部であり、従表層１１Ｂがドット１２で掘削されて構成されている。模様ｍ4 は山の頂上部分の雪であり、従表層１１Ｂの上半分が従表層１１Ｂの表面がそのまま残され、下半分がドット１２で掘削されて構成されている。
模様ｍ5 は、山の裾野にある雲であり、従表層１１Ｂがドット１２で掘削されるとともにドット１２の疎密度及び深さの異なる掘削部１３が３段階に連続して構成されている。
【００１３】
更にまた、模様としては、金属製シートＳ１，Ｓ２の非貼着部分において表層１１をレーザ加工により除去するとともに基盤１０もレーザ加工により掘削した模様ｍ6 が形成されている。模様ｍ6 は基盤１０の木質部が掘削されて露出して構成されている。
これらの模様ｍ1 ，ｍ2 ，ｍ3 ，ｍ4 ，ｍ5 ，ｍ6 の掘削は、レーザの照射時間及び強度により調整される。
【００１４】
次に、この実施の形態に係る装飾製品を製造する場合について、図４及び図５に従って説明する。
先ず、基盤１０を用意し（図４（ａ））、表層１１の掘削により露出させる基盤１０の部分に金属層Ｋを形成する金属製シートＳのアルミ箔を接着剤で貼着する（図４（ｂ））。このとき、模様Ｍ１，Ｍ２に対応した箇所毎に種々の色のアルミ箔を部分的に貼着する。
次に、金属製シートＳ及び金属製シートＳの非貼着部分に主表層１１Ａを貼着する（図４（ｃ））。主表層１１Ａは、基盤１０と略同じ大きさの木製の板を接着剤により貼着する。
更に、主表層１１Ａの上に従表層１１Ｂを貼着する（図４（ｄ））。従表層１１Ｂは、基盤１０と略同じ大きさの樹脂シートを接着剤により貼着する。
【００１５】
次に、模様Ｍを掘削する等して形成する（図５（ｅ））。模様Ｍの形成は、レーザ加工により行なう。レーザ加工は、レーザＲの光の照射エネルギーを可変することができ、様々な深さに容易に掘削することができる。
このとき、図２に示すように、模様ｍ6 の金属製シートＳの非貼着部分で主表層１１Ａと従表層１１Ｂからなる表層１１を除去して基盤１０を掘削する部分の深さｄ１、模様Ｍ１の金属製シートＳ１を露出させる部分の深さｄ２、模様ｍ2 の木製の板からなる主表層１１Ａを掘削する部分の深さｄ３、模様ｍ4 の従表層１１Ｂを掘削する部分の深さｄ４とすると、掘削深さはｄ１＞ｄ２＞ｄ３＞ｄ４の順に深くなり、レーザＲの光の照射エネルギーの大きさはｄ１＞ｄ２＞ｄ３＞ｄ４の順に強くなる。ここで、模様Ｍ１を形成する金属製シートＳ１を露出させる部分の深さｄ２の掘削は、ある一定の照射エネルギーのレーザＲの光が金属製シートＳ１の部分で反射されてそれ以上深く入りにくくなるので、容易に表層１１を掘削して表層１１の不要部分を除去することができる。
また、一点毎のレーザ照射を行なうことにより、ドット１２による掘削部１３が形成される。このドット１２は疎密度及び深さを異ならせることにより、徐々に色の濃淡が変化するように表出させることができる。
そして、レーザ加工の掘削により不要となった従表層１１Ｂを除去するとともに不要となった主表層１１Ａを除去して金属層Ｋの表面Ｋａを露出させる（図５（ｆ））。
最後に表面を洗浄して乾燥後、塗装して製造する。
【００１６】
このようにして製造された装飾製品は、容易にレーザ加工を行なうだけで、金属層Ｋの表面Ｋａを露出させることができ、作業が極めて容易に行なわれる。また、金属層Ｋを種々の色のアルミ箔で部分的に異ならせて貼着することにより、種々の色の表面Ｋａを露出させることができるので、装飾性に富んだ多彩な模様Ｍを形成することができる。
【００１７】
図６には、本発明を適用した別の装飾製品を示している。
図６に示す装飾製品は、上記と同様にレーザ加工した模様Ｍ，ｍに対応した模様Ｍ，ｍが形成されている。
【００１８】
尚、上記実施の形態において、金属層Ｋを一層としたが必ずしもこれに限定されず、複数層としても良い。例えば、図７に示すように、表面Ｋａが異なる色の金属製シートＳ１，Ｓ２，Ｓ３を重ねて用い、金属層Ｋを二層にして各表面Ｋａを露出させても良い。
尚また、上記実施の形態において、基盤１０を木で形成したが、必ずしもこれに限定されず、例えば、プラスチックや金属板で形成しても良い。また、非金属製の主表層１１Ａを木製の板で構成し、従表層１１Ｂを着色された樹脂シートで構成したが、紙，布，皮，ゴム及びアクリル板等で主表層１１Ａや従表層１１Ｂを形成しても良い。
そして、表出される文字や模様Ｍは、図示した文字や模様Ｍに限定されるものではなく、どのような種類の文字や模様Ｍであっても良いことは勿論である。
【００１９】
【発明の効果】
以上説明したように、本発明の装飾製品によれば、基盤の表面に金属層を設け、金属層の表面に非金属製の表層を設け、表層をレーザ加工により除去して金属層の表面を露出させた模様を形成した装飾製品において、金属層を、金属製シートを基盤に対して貼着して設けたので、金属製シートを基盤に貼着するだけで金属層を形成することができることから、金属層の形成を容易にして装飾製品の製造効率を向上させることができる。また、種々の色を有した金属製シートを用いることにより、容易に金属層に種々の色を用いて装飾性に富んだ多彩な模様を形成することができる。
【００２０】
そして、金属製シートを、基盤に対して部分的に貼着した場合には、予め、模様の金属シートが露出される部分のみに金属シートを貼着するので無駄がない。
また、表面の色の異なる複数の金属製シートを設けた場合には、それぞれの露出される部分で異ならせた色の金属シートを用いて、複数の色彩を表出させることができる。
更に、表層にもレーザ加工により模様を形成した場合には、表層の模様と金属層の露出による模様が形成されるので、より一層、多彩な模様を表出させることができる。
【００２１】
そしてまた、表層を、主表層と主表層の上に設けられる材質の異なる従表層とで構成し、主表層及び従表層の少なくともいずれか一方にレーザ加工により模様を設けた場合には、主表層及び従表層からなる表層にレーザ加工により容易に凹凸のある立体的な模様を形成することができるとともに、従表層の下の主表層を露出させて効果的な模様とすることができ、装飾性に富んだものとすることができる。
【００２２】
更に、表層において、掘削をドットで行なうとともにドットの疎密度及び深さの異なる掘削部が連続する模様を形成した場合には、主表層及び従表層からなる表層でドットの疎密度及び深さを異ならせるので、従表層に主表層と色の異なるものを用いた場合に従表層を徐々に色の濃淡が変化するように表出させることができ、より一層、装飾性に富んだ多彩な模様を形成することができる。
そしてまた、金属製シートの非貼着部分において表層をレーザ加工により除去するとともに基盤もレーザ加工により掘削した模様を形成した場合には、レーザ加工により容易に基盤に模様を形成することができ、深い凹凸のある立体的な模様を形成することができる。
【図面の簡単な説明】
【図１】本発明の実施の形態に係る装飾製品を示す斜視図である。
【図２】本発明の実施の形態に係る装飾製品を示し、図１中Ａ−Ａ線断面図である。
【図３】本発明の実施の形態に係る装飾製品を示し、図１中Ｂ−Ｂ線断面図である。
【図４】本発明の実施の形態に係る装飾製品についてその製造工程を示す断面図である。
【図５】本発明の実施の形態に係る装飾製品についてその製造工程を示す断面図である。
【図６】本発明の実施の形態に係る装飾製品の別の例を示す正面図である。
【図７】本発明の実施の形態に係る装飾製品のまた別の例を示す断面図である。
【図８】従来の装飾製品の一例を示す断面図である。
【符号の説明】
１０  基盤
１０ａ  表面
Ｋ  金属層
Ｋａ  表面
１１  表層
１１Ａ  主表層
１１Ｂ  従表層
Ｍ  模様
ｍ  模様
Ｓ  金属製シート
１２  ドット
１３  掘削部
【図１】
0004588231.tif 000002
【図２】
0004588231.tif 000003
【図３】
0004588231.tif 000004
【図４】
0004588231.tif 000005
【図５】
0004588231.tif 000006
【図６】
0004588231.tif 000007
【図７】
0004588231.tif 000008
【図８】
0004588231.tif 000009